【手続補正書】
【提出日】平成26年5月9日(2014.5.9)
【手続補正１】
【補正対象書類名】明細書
【補正対象項目名】００１１
【補正方法】変更
【補正の内容】
【００１１】
上記目的を達成するために、本発明による情報処理装置は、複数のページを有するデータを記憶することが可能な情報処理装置であって、表示指示に応じて前記データをページ毎に表示する表示手段と、前記データの少なくとも１ページ毎に連続的に振られた物理ページ番号に対応つけて前記データの項目毎に連続したページを論理ページとして抽出する抽出手段と、前記項目毎の先頭の論理ページを基準論理ページと決定する決定手段と、前記決定手段によって決定された複数の基準論理ページを連続して前記表示手段に表示させるように前記表示指示を行う指示手段と、を有することを特徴とする。
【手続補正２】
【補正対象書類名】明細書
【補正対象項目名】００１２
【補正方法】変更
【補正の内容】
【００１２】
本発明による他の情報処理装置は、複数のページを有するデータを記憶することが可能な情報処理装置であって、表示指示に応じて前記データをページ毎に表示する表示手段と、前記データの少なくとも１ページ毎に連続的に振られた物理ページ番号に対応つけて前記データの項目毎に連続したページを論理ページとして抽出する抽出手段と、を有し、前記表示手段は、前記表示手段によって前記データが表示される場合に、当該データに含まれる物理ページの総数を示す情報と、現在表示されているページが含まれる項目の論理ページの総数を示す情報と、前記表示されているページが前記論理ページの総数のうちの何ページ目かを示す情報と、を表示することを特徴とする。
【手続補正３】
【補正対象書類名】明細書
【補正対象項目名】００１３
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
複数のページを有するデータを記憶することが可能な情報処理装置であって、
表示指示に応じて前記データをページ毎に表示する表示手段と、
前記データの少なくとも１ページ毎に連続的に振られた物理ページ番号に対応つけて前記データの項目毎に連続したページを論理ページとして抽出する抽出手段と、
前記項目毎の先頭の論理ページを基準論理ページと決定する決定手段と、
前記決定手段によって決定された複数の基準論理ページを連続して前記表示手段に表示させるように前記表示指示を行う指示手段と、を有することを特徴とする情報処理装置。
【請求項２】
前記表示指示で指示されたデータのフォーマットに応じて前記データの種別を判定する判定手段を有し、
前記判定手段によって判定された種別がＰＤＦデータである場合、前記抽出手段は、前記ＰＤＦデータに規定された前記項目毎の論理ページ番号を示す論理ページ情報に基づいて前記論理ページを抽出し、前記決定手段は前記論理ページ情報に応じて前記基準論理ページを決定することを特徴とする請求項１記載の情報処理装置。
【請求項３】
前記表示指示で指示されたデータのフォーマットに応じて前記データの種別を判定する判定手段を有し、
前記判定手段によって判定された種別がＸＰＳデータである場合、前記抽出手段は、前記ＸＰＳデータに規定された描画コマンドに応じて前記論理ページを抽出し、前記決定手段は前記物理ページの先頭ページを基準論理ページとするとともに、当該先頭ページの後に続く論理ページについて少なくともフォント又は文字コードが異なると当該論理ページが項目の最初の論理ページであるとして当該論理ページを基準論理ページと決定することを特徴とする請求項１記載の情報処理装置。
【請求項４】
表示指示で指示されたデータのフォーマットに応じて前記データの種別を判定する判定手段を有し、
前記判定手段によって判定された種別が物理ページの１ページに対して複数の論理ページが配置されたＰＤＬデータである場合、前記抽出手段は、前記ＰＤＬデータに規定された描画コマンドと前記論理ページの配置を示すレイアウト情報とに応じて前記論理ページを抽出し、前記決定手段は前記物理ページの先頭ページを基準論理ページとするとともに、当該先頭ページの後に続く論理ページについて少なくともフォント又は文字コードが異なると当該論理ページが項目の最初の論理ページであるとして当該論理ページを基準論理ページと決定することを特徴とする請求項１記載の情報処理装置。
【請求項５】
前記決定手段は、前記物理ページの先頭ページを基準論理ページとするとともに、当該先頭ページの後に続く論理ページについて当該論理ページに含まれるイメージオブジェクトが特定のオブジェクトを含むと、当該論理ページを基準論理ページと決定することを特徴とする請求項１記載の情報処理装置。
【請求項６】
前記特定のオブジェクトは、予め定められた規定サイズを超えるイメージであることを特徴とする請求項５記載の情報処理装置。
【請求項７】
前記特定のオブジェクトは、予め定められた規定サイズを超える文字であることを特徴とする請求項５記載の情報処理装置。
【請求項８】
前記特定のオブジェクトは、予め定められた規定色を有するオブジェクトであることを特徴とする請求項５記載の情報処理装置。
【請求項９】
前記表示手段は、前記データを印刷する前のプレビューを表示することを特徴とする請求項１から８のいずれか１項に記載の情報処理装置。
【請求項１０】
複数のページを有するデータを記憶することが可能な情報処理装置であって、
表示指示に応じて前記データをページ毎に表示する表示手段と、
前記データの少なくとも１ページ毎に連続的に振られた物理ページ番号に対応つけて前記データの項目毎に連続したページを論理ページとして抽出する抽出手段と、を有し、
前記表示手段は、前記データを表示する場合に、当該データに含まれる物理ページの総数を示す情報と、現在表示されているページが含まれる項目の論理ページの総数を示す情報と、前記表示されているページが前記論理ページの総数のうちの何ページ目かを示す情報と、を表示することを特徴とする情報処理装置。
【請求項１１】
複数のページを有するデータを記憶することが可能な情報処理装置の制御方法であって、
表示指示に応じて前記データをページ毎に表示する表示ステップと、
前記データの少なくとも１ページ毎に連続的に振られた物理ページ番号に対応つけて前記データの項目毎に連続したページを論理ページとして抽出する抽出ステップと、
前記項目毎の先頭の論理ページを基準論理ページと決定する決定ステップと、
前記決定ステップで決定された複数の基準論理ページを連続して前記表示ステップで表示させるように前記表示指示を行う指示ステップと、を有することを特徴とする情報処理装置の制御方法。
【請求項１２】
複数のページを有するデータを記憶することが可能な情報処理装置の制御方法であって、
表示指示に応じて前記データをページ毎に表示する表示ステップと、
前記データの少なくとも１ページ毎に連続的に振られた物理ページ番号に対応つけて前記データの項目毎に連続したページを論理ページとして抽出する抽出ステップと、を有し、
前記表示ステップは、前記データを表示する場合に、当該データに含まれる物理ページの総数を示す情報と、現在表示されているページが含まれる項目の論理ページの総数を示す情報と、前記表示されているページが前記論理ページの総数のうちの何ページ目かを示す情報と、を表示することを特徴とする情報処理装置の制御方法。
【請求項１３】
請求項１１又は１２記載の情報処理装置の制御方法をコンピュータに実行させるためのプログラム。